(57)【要約】【課題】同期測定の利便性を向上させると共に、同期関係のズレを抑制する。【解決手段】所定の信号属性が時々刻々と変化する測定用信号を被測定物Ｘに出力する測定信号出力装置１と、該測定信号出力装置１から離間して設けられ、測定用信号に応答して被測定物Ｘから得られる応答信号を測定信号出力装置１における測定用信号の出力タイミングに同期して取得することにより被測定物Ｘの特性を測定する測定端末２とから成る同期測定システムであって、測定信号出力装置１は、測定用信号の出力タイミングの標準時間を示す出力側時間情報と共に前記信号属性を測定端末２に提供し、測定端末２は、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示する。【選択図】　　　図１
2004125518.tif 000002
【特許請求の範囲】
【請求項１】
所定の信号属性が時々刻々と変化する測定用信号を被測定物（Ｘ）に出力する測定信号出力装置（１）と、該測定信号出力装置（１）から離間して設けられ、測定用信号に応答して被測定物（Ｘ）から得られる応答信号を測定信号出力装置（１）における測定用信号の出力タイミングに同期して取得することにより被測定物（Ｘ）の特性を測定する測定端末（２）とから成る同期測定システムであって、
測定信号出力装置（１）は、測定用信号の出力タイミングの標準時間を示す出力側時間情報と共に前記信号属性を測定端末（２）に提供し、
測定端末（２）は、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示する
ことを特徴とする同期測定システム。
【請求項２】
測定信号出力装置（１）は、信号属性としての波長が時々刻々と変化する測定光を測定用信号として光ファイバ伝送路（Ｘ）の一端に出射する測定光出力部であり、測定端末（２）は、光ファイバ伝送路（Ｘ）の他端から出射される測定光の伝搬光を応答信号として取り込み、光ファイバ伝送路（Ｘ）の伝送損失の波長依存性を測定する光測定端末である
ことを特徴とする請求項１記載の同期測定システム。
【請求項３】
測定信号出力装置（１）及び測定端末（２）は、ＧＰＳ（Ｇｌｏｂａｌ　Ｐｏｓｉｔｉｏｎｉｎｇ　Ｓｙｓｔｅｍ）波を受信することにより標準時間を取得することを特徴とする請求項１または２記載の同期測定システム。
【請求項４】
測定信号出力装置（１）及び測定端末（２）は、標準電波を受信することにより標準時間を取得することを特徴とする請求項１または２記載の同期測定システム。
【請求項５】
測定信号出力装置（１）及び測定端末（２）は、出力側時間情報と信号属性とをＬＡＮ（Ｌｏｃａｌ　Ａｒｅａ　Ｎｅｔｗｏｒｋ）を介して送受信することを特徴とする請求項１〜４いずれかに記載の同期測定システム。
【請求項６】
出力側において所定の信号属性が時々刻々と変化する測定用信号を被測定物（Ｘ）に入力し、受信側において測定用信号に応答して被測定物（Ｘ）から得られる応答信号を測定用信号の入力タイミングに同期して取得することにより被測定物（Ｘ）の特性を測定する同期測定方法であって、
測定用信号の出力タイミングの標準時間を示す出力側時間情報及び前記信号属性を出力側から受信側に提供し、
受信側では、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示することを特徴とする同期測定方法。
【請求項７】
出力側では信号属性としての波長が時々刻々と変化する測定光を測定用信号として光ファイバ伝送路（Ｘ）の一端に出射し、受信側では、光ファイバ伝送路（Ｘ）の他端から出射される測定光の伝搬光を応答信号として取り込み、光ファイバ伝送路（Ｘ）の伝送損失の波長依存性を測定する
ことを特徴とする請求項６記載の同期測定方法。
【請求項８】
出力側及び受信側では、ＧＰＳ（Ｇｌｏｂａｌ　Ｐｏｓｉｔｉｏｎｉｎｇ　Ｓｙｓｔｅｍ）波を受信することにより標準時間を取得することを特徴とする請求項６または７記載の同期測定方法。
【請求項９】
出力側及び受信側では、標準電波を受信することにより標準時間を取得することを特徴とする請求項６または７記載の同期測定方法。
【請求項１０】
出力側及び受信側では、出力側時間情報と信号属性とをＬＡＮ（Ｌｏｃａｌ　Ａｒｅａ　Ｎｅｔｗｏｒｋ）あるいはインターネットを介して送受信することを特徴とする請求項６〜９いずれかに記載の同期測定方法。
【発明の詳細な説明】
【０００１】
【発明の属する技術分野】
本発明は、同期測定システム及び方法に関する。
【０００２】
【従来の技術】
例えば光伝送路の伝送損失の波長依存性を測定光の測定光発生側と測定側とで同期測定する場合には、測定光発生側では、波長を所定範囲内で連続的に変化させた測定光を光伝送路に入射すると共に測定光の出射タイミングを示すトリガ信号を測定側に所定間隔で連続的に送信し、当該測定側では、光伝送路の透過光の強度を上記トリガ信号に同期して光パワーメータで測定することにより、透過光の強度と波長との関係、つまり伝送損失の波長依存性を測定する。なお、本出願人は、このような光伝送路の同期測定について記載された適当な公知文献を認知していない。
【０００３】
【発明が解決しようとする課題】
ところで、このような同期測定は、トリガ信号は、光伝送路とは別に設けられた光伝送路やメタル伝送路を介して測定光発生側から測定側に送信されるが、例えば以下のような問題点がある。
（１）測定光発生側と測定側との距離が大きくなるとトリガ信号の伝搬時間に起因して測定光発生側と測定側との同期関係にズレが生じる。
（２）トリガ信号を測定側に伝送するための光伝送路やメタル伝送路を別途設ける必要があるため、測定光発生側と測定側との距離が制限される。
（３）さらに、複数の光伝送路を同時測定する場合にはトリガ信号を複数の測定側に並行して送信する必要がある。この場合において、トリガ信号を光信号として複数の測定側に送信する場合には、トリガ信号を複数に分岐させる必要があるため各々の測定側で受信されるトリガ信号の光強度が大きく低下する。この結果、各測定側でトリガ信号を識別できなかったり、あるいは測定光発生側にトリガ信号を光増幅するための光増幅器を設けなければならない。
【０００４】
本発明は、上述する問題点に鑑みてなされたもので、以下の点を目的とするものである。
（１）同期測定の利便性を向上させる。
（２）同期関係のズレを抑制する。
【０００５】
【課題を解決するための手段】
上記目的を達成するために、本発明では、同期測定システムに係わる第１の手段として、所定の信号属性が時々刻々と変化する測定用信号を被測定物（Ｘ）に出力する測定信号出力装置（１）と、該測定信号出力装置（１）から離間して設けられ、測定用信号に応答して被測定物（Ｘ）から得られる応答信号を測定信号出力装置（１）における測定用信号の出力タイミングに同期して取得することにより被測定物（Ｘ）の特性を測定する測定端末（２）とから成る同期測定システムであって、
測定信号出力装置（１）は、測定用信号の出力タイミングの標準時間を示す出力側時間情報と共に信号属性を測定端末（２）に提供し、
測定端末（２）は、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示するという構成を採用する。
【０００６】
また、同期測定システムに係わる第２の手段として、上記第１の手段において、測定信号出力装置（１）は、信号属性としての波長が時々刻々と変化する測定光を測定用信号として光ファイバ伝送路（Ｘ）の一端に出射する測定光出力部であり、測定端末（２）は、光ファイバ伝送路（Ｘ）の他端から出射される測定光の伝搬光を応答信号として取り込み、光ファイバ伝送路（Ｘ）の伝送損失の波長依存性を測定する光測定端末であるという構成を採用する。
【０００７】
同期測定システムに係わる第３の手段として、上記第１または第２の手段において、測定信号出力装置（１）及び測定端末（２）は、ＧＰＳ（Ｇｌｏｂａｌ　Ｐｏｓｉｔｉｏｎｉｎｇ　Ｓｙｓｔｅｍ）波を受信することにより標準時間を取得するという構成を採用する。
【０００８】
同期測定システムに係わる第４の手段として、上記第１または第２の手段において、測定信号出力装置（１）及び測定端末（２）は、標準電波を受信することにより標準時間を取得するという構成を採用する。
【０００９】
同期測定システムに係わる第５の手段として、上記第１〜第４いずれかの手段において、測定信号出力装置（１）及び測定端末（２）は、出力側時間情報と信号属性とをＬＡＮ（Ｌｏｃａｌ　Ａｒｅａ　Ｎｅｔｗｏｒｋ）あるいはインターネットを介して送受信するという構成を採用する。
【００１０】
一方、本発明では、同期測定方法に係わる第１の手段として、出力側において所定の信号属性が時々刻々と変化する測定用信号を被測定物（Ｘ）に入力し、受信側において測定用信号に応答して被測定物（Ｘ）から得られる応答信号を測定用信号の入力タイミングに同期して取得することにより被測定物（Ｘ）の特性を測定する同期測定方法であって、
測定用信号の出力タイミングの標準時間を示す出力側時間情報及び前記信号属性を出力側から受信側に提供し、
受信側では、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示するという構成を採用する。
【００１１】
また、同期測定方法に係わる第２の手段として、上記第１の手段において、出力側では信号属性としての波長が時々刻々と変化する測定光を測定用信号として光ファイバ伝送路（Ｘ）の一端に出射し、受信側では、光ファイバ伝送路（Ｘ）の他端から出射される測定光の伝搬光を応答信号として取り込み、光ファイバ伝送路（Ｘ）の伝送損失の波長依存性を測定するという構成を採用する。
【００１２】
同期測定方法に係わる第３の手段として、上記第１または第２の手段において、出力側及び受信側では、ＧＰＳ（Ｇｌｏｂａｌ　Ｐｏｓｉｔｉｏｎｉｎｇ　Ｓｙｓｔｅｍ）波を受信することにより標準時間を取得するという構成を採用する。
【００１３】
同期測定方法に係わる第４の手段として、上記第１または第２の手段において、出力側及び受信側では、標準電波を受信することにより標準時間を取得するという構成を採用する。
【００１４】
同期測定方法に係わる第５の手段として、上記第１〜第４いずれかの手段において、出力側及び受信側では、出力側時間情報と信号属性とをＬＡＮ（Ｌｏｃａｌ　Ａｒｅａ　Ｎｅｔｗｏｒｋ）を介して送受信するという構成を採用する。
【００１５】
【発明の実施の形態】
以下、図面を参照して、本発明に係わる同期測定システム及び方法の一実施形態について説明する。
【００１６】
図１は、本実施形態のシステム構成図である。この図において、符号１は測定光出力装置、２は光測定端末、３はＬＡＮ（Ｌｏｃａｌ　Ａｒｅａ　Ｎｅｔｗｏｒｋ）、ＳはＧＰＳ（Ｇｌｏｂａｌ　Ｐｏｓｉｔｉｏｎｉｎｇ　Ｓｙｓｔｅｍ）衛星、またＸは被測定物である。このような各構成要素のうち、測定光出力装置１と光測定端末２とは、被測定物Ｘを挟んで離間配置されている。
【００１７】
測定光出力装置１は、測定光（測定用信号）を発生して被測定物Ｘに出射すると共に、測定光の出力タイミングを標準時間として示す出力側時間情報と測定光の信号属性である波長情報とをＬＡＮ３を介して光測定端末２に出力するものであり、図示するように波長可変光源４、光分波器５及び波長測定部６から構成されている。
【００１８】
波長可変光源４は、波長可変部４ａを備えている。この波長可変部４ａは、所定の波長範囲内で波長が連続的に変化する出力光を発生して光分波器６に出力する。光分波器５は、上記出力光を所定の分岐比で分波し、一方を測定光として被測定物Ｘの片端に出射し、また他方をモニタ光として波長測定部６に出射する。波長測定部６は、波長測定部６ａ、トリガ出力部６ｂ及び波長演算部６ｃから構成されている。波長測定部６ａは、上記モニタ光の波長をトリガ出力部６ｂから入力される測定用トリガ信号の入力タイミングで測定し、その波長情報を測定用トリガ信号によって示される標準時間（出力側時間情報）とペアリングして波長演算部６ｃに出力する。
【００１９】
トリガ出力部６ｂは、ＧＰＳ衛星Ｓから受信したＧＰＳ波に基づいて標準時間を刻むＧＰＳ時計としての機能を有し、当該ＧＰＳ時計における一定の時間間隔毎に測定用トリガ信号を波長演算部６ｃに順次出力する。この測定用トリガ信号は、自らの発生タイミングを示す標準時間（つまり出力側時間情報）を付帯情報として含むものである。波長演算部６ｃは、上記波長測定部６ａによってペアリングされた波長情報と出力側時間情報とをＬＡＮ３を介して光測定端末２に順次出力する。
【００２０】
光測定端末２は、光パワーメータ２ａ、トリガ出力部２ｂ、表示演算部２ｃ及び表示部２ｄから構成されている。光パワーメータ２ａは、被測定物Ｘの他端から出射される透過光（応答信号）の受光強度をトリガ出力部２ｂから入力される測定用トリガ信号の入力タイミングで検出し、受光強度を示す強度情報を測定用トリガ信号によって示される標準時間（受信側時間情報）とペアリングして表示演算部２ｃに出力する。
【００２１】
トリガ出力部２ｂは、上述した波長測定部６のトリガ出力部６ｂと同様のものであり、ＧＰＳ衛星Ｓから受信したＧＰＳ波に基づいて標準時間を刻むＧＰＳ時計としての機能を有し、当該ＧＰＳ時計における一定の時間間隔毎に測定用トリガ信号を光パワーメータ２ａに出力する。すなわち、このトリガ出力部２ｂは、ＧＰＳ時計上において波長測定部６のトリガ出力部６ｂが出力する測定用トリガ信号と全く同一の時刻に測定用トリガ信号を出力する。
【００２２】
表示演算部２ｃは、同一の標準時間を示す受信側時間情報が付随する受光強度と出力側時間情報が付随する波長情報とを対応させることにより測定画面を生成して表示部２ｄに出力する。この測定画面は、被測定物Ｘの伝送損失の波長依存性を示すものとなる。表示部２ｄは、例えば液晶ディスプレイであり、上記測定画面を画像表示する。
【００２３】
さらに、ＬＡＮ３は、上述した測定光出力装置１と光測定端末２とを相互接続するものであり、測定光出力装置１から出力された上記出力側時間情報がペアリングされた波長情報を光測定端末２に順次伝送する。被測定物Ｘは、長距離に亘って敷設された例えば光ファイバ伝送路である。上記測定光出力装置１は、このような被測定物Ｘの片端近傍に配置される一方、光測定端末２は、被測定物Ｘの他端近傍に配置されている。
【００２４】
このように構成された同期測定システムによれば、波長測定部６ａにおけるモニタ光（すなわち測定光）の波長測定と光パワーメータ２ａにおける受光強度の検出とは、図２に示すように、波長測定部６ａに入力される測定用トリガ信号及び光パワーメータ２ａに入力される測定用トリガ信号のタイミング、つまり測定光出力装置１と光測定端末２とが互いに共有する標準時間上の同一時刻において順次行われる。
【００２５】
そして、上記波長測定に基づく波長情報には、波長測定部６ａによって測定時刻を示す標準時間（出力側時間情報）がペアリングされる一方、受光強度の検出に基づく受光強度の強度情報には、光パワーメータ２ａによって検出時刻を示す標準時間（受信側時間情報）がペアリングされる。すなわち、波長情報及び強度情報には、標準時間上の同一時刻（すなわち出力側時間情報＝受信側時間情報）がペアリングされる。
【００２６】
そして、このような波長情報は、ＬＡＮ３を介して測定光出力装置１から光測定端末２の表示演算部２ｃに時系列的に順次入力され、一方、強度情報は、光パワーメータ２ａから表示演算部２ｃに同じく時系列的に順次入力される。表示演算部２ｃは、このようにして時系列的に順次入力される波長情報及び強度情報のうち、付随する標準時間が等しいものを各々組み合わせることにより波長の変化に対応した受光強度の強度変化、つまり被測定物Ｘの伝送損失の波長依存性を示す測定画面を構成する。
【００２７】
したがって、従来のような測定光出力装置１における測定用トリガ信号と光測定端末２における測定用トリガ信号との時間軸上のズレ（同期ズレ）に起因する受光強度と波長との相互関係のズレ及び測定光の時間的なズレを大幅に抑制することができる。また、波長情報をＬＡＮ３を介して測定光出力装置１から光測定端末２に送信するので、光伝送路やメタル伝送路を別途設ける必要がなく、よって測定光出力装置１と光測定端末２との距離の制約を受けることなく同期測定を実現することが可能となり、同期測定の利便性が著しく向上する。
【００２８】
最後に、図３は、本実施形態を複数の被測定物Ｘ１，Ｘ２，Ｘ３，……に適用した場合の概要構成図である。すなわち、このシステム構成では、単一の測定光出力装置１から各被測定物Ｘ１，Ｘ２，Ｘ３，……に測定光を出射すると共に各被測定物Ｘ１，Ｘ２，Ｘ３，……毎に光測定端末２を設け、また各光測定端末２を測定光出力装置１とＬＡＮ３を介して相互接続することにより波長情報を共有する。このような構成を採用することにより、複数の各被測定物Ｘ１，Ｘ２，Ｘ３，……の伝送損失の波長依存性を並行して同時に同期測定することが可能となる。
【００２９】
なお、本発明は、上記実施形態に限定されるものではなく、例えば以下のような変形が考えられる。
（１）上記実施形態では、測定光出力装置１及び光測定端末２は、ＧＰＳ波に基づくＧＰＳ時計によって標準時刻を刻むように構成したが、このようなＧＰＳ時計に代えて電波時計を用いても良い。電波時計は、周知のように標準電波を受信することにより標準時刻を刻むものである。このような電波時計は、原理上、ＧＰＳ時計よりも精度が高いことが知られている。
（２）上記実施形態では、波長情報をＬＡＮ３を介して測定光出力装置１から光測定端末２に送信するようにしたが、ＬＡＮ３に代えてインターネットを介して波長情報を光測定端末２に送信するようにしても良い。
【００３０】
【発明の効果】
以上説明したように、本発明によれば、所定の信号属性が時々刻々と変化する測定用信号を被測定物に出力する測定信号出力装置と、該測定信号出力装置から離間して設けられ、測定用信号に応答して被測定物から得られる応答信号を測定信号出力装置における測定用信号の出力タイミングに同期して取得することにより被測定物の特性を測定する測定端末とから成る同期測定システムであって、測定信号出力装置は、測定用信号の出力タイミングの標準時間を示す出力側時間情報と共に前記信号属性を測定端末に提供し、測定端末は、標準時間を示す受信側時間情報と共に応答信号を順次取得し、互いに同一の標準時間を示す出力側時間情報の応答信号と受信側時間情報の信号属性とを対応させることにより測定結果を示す測定画面を構成して表示するので、同期測定の利便性を向上させると共に、同期関係のズレを抑制することが可能である。
【図面の簡単な説明】
【図１】本発明の一実施形態の機能構成を示すシステム構成図である。
【図２】本発明の一実施形態における測定高出力装置と光測定端末とのタイミング関係を示すタイミングチャートである。
【図３】本発明の一実施形態を複数の被測定物に適用した場合の概要構成図である。
【符号の説明】
１……測定光出力装置
２……光測定端末
２ａ……光パワーメータ
２ｂ……トリガ出力部
２ｃ……表示演算部
２ｄ……表示部
３……ＬＡＮ
４……波長可変光源
５……光分波器
６……波長測定部
６ａ……波長測定部
６ｂ……トリガ出力部
６ｃ……波長演算部
Ｓ……ＧＰＳ（Ｇｌｏｂａｌ　Ｐｏｓｉｔｉｏｎｉｎｇ　Ｓｙｓｔｅｍ）衛星
Ｘ……被測定物
【図１】
2004125518.tif 000003
【図２】
2004125518.tif 000004
【図３】
2004125518.tif 000005